(57)【要約】      （修正有）【課題】計測器の計測表示を現場に出向くことなく遠隔で読み取ることによって、作業者の負担を軽減することができる遠隔画像読取装置を提供する。【解決手段】遠隔画像読取装置１は、物理量を計測する圧力計（計測器）３に表示される計測表示３Ａを撮像するカメラ４と、カメラ４から無線送信される画像データＧＤを取り込んで計測画像Ｇを表示するパソコン（端末器）５を備えている。ここで、カメラ４は、無線ＬＡＮを備えるデジタルカメラである。また、カメラ４は、アタッチメント６によって圧力計（計測器）３に対し着脱可能に取り付けられている。【選択図】図１
0003232160.tif 000002
【実用新案登録請求の範囲】
【請求項１】
配管，機械，装置のいずれかに設置される計測器に対し着脱可能に装着されるカメラ支持用のアタッチメントと、前記計測器に表示される計測表示を撮像しその画像データを発信できる機能を備えたカメラと、そのカメラから無線送信される画像データを取り込んで計測表示の画像を表示する端末器とを備えることを特徴とする遠隔画像読取装置。
【請求項２】
前記カメラの計測表示の撮像と画像データの送信のタイミングは、当該カメラが備える制御部によって制御するか、又は前記端末器からの制御指令によって制御する請求項１に記載の遠隔画像読取装置。
【請求項３】
前記カメラの画像データを発信する機能は、無線ＬＡＮであり、好ましくはブルートゥース（登録商標）通信機能である請求項１又は２に記載の遠隔画像読取装置。
【請求項４】
前記アタッチメントは、前記計測器に対し、又は前記配管，機械，装置のいずれかに対し、若しくは前記計測器と配管、機械、装置のいずれかに対して着脱可能に配置され、前記カメラはこのアタッチメントに着脱可能に取付けられている請求項１〜３のいずれかに記載の遠隔画像読取装置。
【考案の詳細な説明】
【技術分野】
【０００１】
本考案は、圧力計や温度計などの計測器に表示される温度や圧力などの表示を遠隔で読み取ることができる計測器表示の遠隔画像読取装置に関する。
【背景技術】
【０００２】
例えば、化学プラントや石油プラントなどの各種プラントには、配管を流れる流体の圧力や温度などを計測する各種の計測器が配管に設けられている。プラント等に設置される計測器の例としての圧力計には、特許文献１、２などに示された圧力計がある。
【０００３】
ところで、例えば、各種プラントの配管に取り付けられている温度計や圧力計等の計測器にアナログ表示またはデジタル表示される計測値は、作業者が定期的に各計測器の設置現場に出向いて個々の計測器を目視にて読み取ることが行われている。なお、前記計測器には、配管に取付けられるもののほか、機械や装置に組込まれたものもあり、本考案はこのような計測器を対象とする。
【先行技術文献】
【特許文献】
【０００４】
【特許文献１】特許６７３８２３８号公報
【特許文献２】実用新案登録第３２２４２６８号公報
【考案の概要】
【考案が解決しようとする課題】
【０００５】
しかしながら、従来のように作業者が複数の計測器が設置されている現場に定期的に出向いて目視で各計測器の計測値を読み取る作業は、面倒で多大な時間を要し、作業者に過大な負担を強いることとなっている。
【０００６】
本考案は、上記問題に鑑みてなされたもので、その目的は、圧力計等の計測器の表示を設置現場に出向くことなく遠隔で読み取れるようにすることによって、作業者の負担を軽減することができる計測器の表示を遠隔地で画像で読取れる装置を提供することにある。
【課題を解決するための手段】
【０００７】
上記目的を達成するために完成された、本考案による計測値の遠隔画像読取装置は、計測器に着脱可能に装着されるカメラ支持用のアタッチメントと、計測器に表示される計測表示を撮像しその画像データを発信できる機能を備えたカメラと、該カメラから無線送信される画像データを取り込んで画像データを表示する端末器とを備えることを特徴とする。
本考案において、カメラによる計測表示の撮像は、常時連続撮像のほか、適宜インターバルによる断続撮像であってもよい。
【０００８】
本考案において、前記カメラの画像データを発信する機能は、無線ＬＡＮであり、好ましくはブルートゥース（登録商標）通信機能である。
【０００９】
本考案において、前記アタッチメントは、前記計測器、又はその計測器が設置される配管や機械、或いは装置に着脱可能に配置され、前記カメラはこのアタッチメントに着脱可能に取付けられる。
【考案の効果】
【００１０】
本考案によれば、配管現場等の現場に設置された計測器によって計測されて表示される例えばアナログ表示をカメラによって撮像し、その撮像画像を配管現場から遠く離れた場所に設置されたパーソナルコンピュータ（以下、「ＰＣ」と略称する）などの端末器へと送信して該端末器に表示することができる。このため、作業者は、計測器の設置現場に出向くことなく、現場から遠く離れた場所で計測値を読み取ることができ、作業者の負担が大幅に軽減される。特に、同系統の配管に多数設置された複数の計測器によって計測された個々の計測表示であっても、これらを１箇所で一括して集中的に読み取ることができ、読み取った値に異常が発見された場合には直ちに適切な処置を講じる等の対応を採ることができる。
【図面の簡単な説明】
【００１１】
【図１】本考案に係る遠隔画像読取装置の一例を模式的に示すシステム構成図である。
【図２】アタッチメントの別例の斜視図。
【図３】アタッチメントの他の例の斜視図。
【考案を実施するための形態】
【００１２】
以下に本考案の実施の形態を添付図面に基づいて説明する。
【００１３】
図１は本考案に係る遠隔画像読取装置の一例を模式的に示したシステム構成図である。図示した遠隔画像読取装置１では、各種プラントなどの配管２に取り付けられた圧力計３によって計測された圧力のアナログ表示をカメラ４によって撮像している。撮像は静止画、動画のいずれでもよい。撮像タイミングと撮像データの送信タイミングは、任意に設定、変更可能である。カメラ４が撮像した計測表示の画像データＧＤは、圧力計３が設置された現場から遠く離れた場所に設置されたパソコン５（以下、ＰＣ５という。）などの端末器に無線送信される。ＰＣ５は受信する画像データＧＤを取り込み、このＰＣ５の画面上に計測画像Ｇとして表示する。撮像タイミング、送信タイミングについてはＰＣ５側からカメラ４に対して指示を出すようにしてもよい。
【００１４】
ここで、本実施の形態においては、配管２に取り付けられた圧力計３としては、ブルドン管式の圧力計が使用されており、このブルドン管式の圧力計３は、計測された圧力を円形の表示部３Ａに設けられた指針３ａが示す数値目盛によってアナログ表示する。
【００１５】
上記ブルドン管式の圧力計３には、カメラ４を支持する、一例として図１に模式的に示したアタッチメント６が着脱可能に配置されている。図１のアタッチメント６は、平面視略四角形をなす枠部材６ａ，６ｂと、枠部材６ａ，６ｂの前後に下向きに延びた前後の支持脚部６ｃ、６ｄにより形成されている。支持脚部６ｃ、６ｄは、下部が配管２を跨ぐ湾曲した脚座６ｅ，６ｆに形成されている。脚座６ｅ，６ｆは、配管２に対して仮固定できる粘着力や磁力が付与されている。図１において、４ａはカメラ４のレンズ部、４ｂはカメラ４のアタッチメント６への取付部で、レンズ部４ａはアタッチメント６によって圧力計３の表示部３Ａに向けられている。
【００１６】
なお上記アタッチメント６の形態は、説明の便宜上のものである。従って、アタッチメント６の形態は、図１に示した形態に限られるものではない。例えば、図２はアタッチメント６の別例で、圧力計３の表示部３Ａが配管２と平行に配置されている場合に適用するためのアタッチメント６である。図２のアタッチメント６において、図１のアタッチメント６と同じ部分、部材には同じ符号を付けている。アタッチメント６は、圧力計３の表示部３Ａに対しカメラ４のレンズ部４ａを対面して支持できる形態であればよい。ここで、本実施の形態のカメラ４には、無線ＬＡＮを備えるデジタルカメラが使用され、そのレンズ部（撮像部）４ａが圧力計３の表示部３Ａに対向するように、アタッチメント６に着脱可能に取り付けられている。
【００１７】
また、図３に示すように、アタッチメント６を圧力計３に取付けてカメラ４を支持する例もある。図３のアタッチメント６は、側面視横長略Ｌ状の支持アーム６ｆと、支持アーム６ｆの一端部に設けた圧力計３の支持脚３Ｂを把持するクランプ６ｇと、支持アーム６ｆの他端部に設けたカメラ４の取付部４ｂを備えている。支持アーム６ｆにおいて６ｈはアーム曲がり部の関節である。本考案においては、図示しないがアタッチメント６を配管２に取付てカメラ４を支持させる形態もある。図３のカメラ４の取付部４ｂは一例であって、カメラ４の形態によっては、カメラの背面や側面、或いは上面に取付部４を設けることがある。
【００１８】
而して、配管２内を流れる流体の圧力は、圧力計（ブルドン管式圧力計）３によって計測されているが、その計測値は、該圧力計３の表示部３Ａにおいて指針３ａが示す目盛によってアナログ表示される。ここで、圧力計３の表示部３Ａは、カメラ４によって撮像され、その撮像された画像データＧＤが、カメラ４から遠く離れた位置に設置されたＰＣ５へと無線送信され、このＰＣ５の画面上に計測画像Ｇとして表示される。カメラ４による撮像と、撮像データの送信は、カメラ自体が備える制御部によって制御されるが、撮像と送信をＰＣ５側から制御するようにしてもよい。
【００１９】
したがって、作業者は、圧力計３の設置現場に出向くことなく、現場から遠く離れた場所でＰＣ５上で計測値を読み取ることができ、これによって作業者の負担が大幅に軽減される。特に、多数の圧力計３によって計測されている複数の圧力値であっても、これらをＰＣ５を設置した１箇所で一括して集中的に読み取ることができ、読み取った値に異常等が発見された場合には、直ちに適切な処置を講じることができる。
【００２０】
なお、本実施の形態では、圧力計３としてブルドン管式圧力計を使用したが、圧力計３としては、ベローズ式圧力計、ダイヤフラム式圧力計、その他任意のものを使用した計測器に本考案を適用することができ、また計測値の表示もアナログ表示するものに限られず、計測値を数字でデジタル表示する圧力計に対しても本考案を適用することができる。
【００２１】
また、計測器としては、圧力以外の任意の物理量を計測するものであればよく、例えば流体の温度を計測する温度計であってもよく、温度計としては、バイメタル温度計、熱電対などの熱電温度計、サーミスタなどの電気抵抗温度計、その他任意タイプの温度計を使用していてもそれが配管に設置されていれば本考案を適用できる。さらに本考案を適用できる計測器は、配管に設置された圧力計、温度計に限られず、配管や機械、或いは装置に設置されている流量計、流速計などの計測器であってもよい。
【００２２】
次に、本実施の形態では、計測値の画像Ｇを表示する端末器としてパソコン（ＰＣ５）を例として使用したが、端末器としては、ＰＣ５以外に、タブレットＰＣ、ｉＰａｄ（登録商標）、スマートフォン（スマホ）などの任意の端末機器を使用することができる。
【００２３】
以上の実施形態は、１台の圧力計３が配管２に設置されている例についての説明であったが、本考案は、配管以外の機械や装置に設置されている計測器にも適用でき、また、複数台の計測器の個々に対して夫々にアタッチメント６を介してカメラ４を配置し、各カメラ４の画像データＧＤを、一箇所に配置する１台又は複数台のＰＣ５の画面上に表示させるようにもできる。
【００２４】
本考案は、以上説明した実施の形態に適用が限定されるものではなく、実用新案登録請求の範囲及び明細書と図面に記載された技術的思想の範囲内で種々の変形が可能であることは勿論である。
【符号の説明】
【００２５】
１        遠隔画像読取装置
２        配管
３        圧力計（計測器）
３Ａ      圧力計の表示部
３ａ      圧力計の指針
４        カメラ
４ａ      カメラのレンズ部
５        パソコン又はＰＣ（端末器）
６        アタッチメント
Ｇ        計測画像
ＧＤ      画像データ
【図１】
0003232160.tif 000003
【図２】
0003232160.tif 000004
【図３】
0003232160.tif 000005